(57)【要約】【課題】ビデオ装置等の機器の動作をより安定的に行なわせることのできる起動制御装置を提供することである。【解決手段】所定の機器（４００、４５０）に対して起動信号を与える起動制御装置において、断続的に起動信号を出力する起動信号出力手段（２０）と、所定の信号を入力したときに、前記起動信号出力手段（２０）を所定時間有効にさせる制御手段（１０）とを有する構成となる。【選択図】  図３
2004166117.tif 000002
【特許請求の範囲】
【請求項１】
所定の機器に対して起動信号を与える起動制御装置において、
断続的に起動信号を出力する起動信号出力手段と、
所定の信号を入力したときに、前記起動信号出力手段を所定時間有効にさせる制御手段とを有することを特徴とする起動制御装置。
【請求項２】
前記制御手段は、前記所定の信号を入力したときに、前記所定時間有効となるタイマ信号を出力するタイマ手段と、
前記タイマ信号に基づいて前記起動信号出力手段を有効となるよう制御する有効制御手段とを有することを特徴とする請求項１記載の起動制御装置。
【請求項３】
前記有効制御手段は、前記タイマ信号に基づいて前記起動信号出力手段に対する電源供給を制御する電源供給制御手段を有することを特徴とする請求項２記載の起動制御装置。
【請求項４】
前記起動信号出力手段は、光学的結合素子と、
前記光学的結合素子をパルス駆動するパルス駆動手段と、
前記光学的結合素子のパルス駆動に応じてパルス状の起動信号を生成する起動信号生成手段とを有することを特徴とする請求項１乃至３のいずれかに記載の起動制御装置。
【請求項５】
前記制御手段は、光学的結合素子を有し、
前記タイマ手段からのタイマ信号にて前記光学的結合素子を駆動するようにし、
前記電源供給制御手段が、前記光学的結合素子が駆動されている間、前記起動信号出力手段に電源供給を行なうようにしたことを特徴とする請求項３記載の起動制御装置。
【請求項６】
カメラ装置にて撮影される映像を録画する録画機器に、物体検出器からの検出信号に基づいて、前記録画機器を制御する監視制御装置において、
前記録画機器に対する録画起動信号を断続的に出力する録画起動信号出力手段と、
前記検出信号を入力したときに、前記録画起動信号出力手段を所定時間有効にさせる起動制御手段を有することを特徴とする監視制御装置。
【請求項７】
前記録画機器に対する録画停止信号を出力する録画停止信号出力手段と、
前記所定時間経過後、前記録画停止信号出力手段を有効にさせる停止制御手段とを有することを特徴とする請求項６記載の監視制御装置。
【請求項８】
前記起動制御手段は、前記検出信号を入力したときに、前記所定時間有効となるタイマ信号を出力するタイマ手段と、
前記タイマ信号に基づいて前記録画起動信号出力手段を有効となるように制御する有効制御手段とを有することを特徴とする請求項６または７記載の監視制御装置。
【請求項９】
前記有効制御手段は、前記タイマ信号に基づいて前記録画起動信号出力手段に対する電源供給を制御する電源制御手段を有することを特徴とする請求項８記載の監視制御装置。
【請求項１０】
監視領域を撮影するカメラ装置と、
前記カメラ装置にて撮影される映像を録画する録画機器と、
前記監視領域を含む所定の領域の動体を検出したときに検出信号を出力する物体検出器と、
前記検出信号に基づいて前記録画機器に録画起動信号を与える監視制御装置とを有する防犯システムにおいて、
前記監視制御装置は、
断続的に録画起動信号を出力する録画起動信号出力手段と、
前記検出信号を入力したときに、前記録画起動信号出力手段を所定時間有効となるように制御する起動制御手段とを有することを特徴とする防犯システム。
【請求項１１】
前記監視制御装置は、前記録画機器に対する録画停止信号を出力する録画停止信号出力手段と、
前記所定時間経過後に、前記録画停止信号出力手段を有効にさせる停止制御手段とを有することを特徴とする請求項１０記載の防犯システム。
【発明の詳細な説明】
【０００１】
【発明の属する技術分野】
本発明は、所定の機器に対して起動信号を与える起動制御装置及びそのような起動制御装置を利用した監視制御装置並びに防犯システムに関する。
【０００２】
【従来の技術】
従来、カメラ装置で撮影される映像をビデオ装置に記録するようにした防犯システムが提案されている（特許文献１参照）。この防犯システムは、カメラ装置の撮影範囲に物体が進入したことを検出するためのセンサを備え、該センサが物体の進入を検出したときにビデオ装置の録画動作を開始するようにしている。
【０００３】
【特許文献１】
特開平９−１５４１２５公報
【０００４】
【発明が解決しようとする課題】
ところで、ビデオ装置にセットされたビデオテープに付着した異物や、ビデオテープの部分的な巻き取り状態の不具合等により、ビデオ装置が録画動作を開始した直後にその録画動作を停止させる場合がある。このような動作はビデオ装置の安全性を考慮したものであり、多くの場合、再度録画開始の指示を与えることによりビデオ装置を正常な録画動作状態に復帰させることができる。
【０００５】
しかし、従来の防犯システムでは、前述したようにビデオ装置の録画動作が停止してしまうと、センサが再度物体の検出を行わなければビデオ装置での録画動作が再開されないという問題がある。
【０００６】
本発明は、このような問題点に鑑みてなされたもので、ビデオ装置等の機器の動作をより安定的に行わせることのできる起動制御装置を提供することを目的としている。
【０００７】
また、本発明は、そのような起動制御装置を利用した監視制御装置及び防犯システムを提供することを目的としている。
【０００８】
【課題を解決するための手段】
本発明に係る起動制御装置は、所定の機器に対して起動信号を与える起動制御装置において、断続的に起動信号を出力する起動信号出力手段と、所定の信号を入力したときに、前記起動信号出力手段を所定時間有効にさせる制御手段とを有する構成となる。
【０００９】
このような構成により、所定の信号が制御手段に入力されると、その制御手段により起動信号出力手段が所定時間有効となって、所定の機器に対して前記所定時間起動信号が断続的に与えられることとなる。その結果、所定の機器は、その断続的に与えられる起動信号に基づいた起動動作を行ない得るようになる。
【００１０】
前記断続的に与えられる起動信号に基づいた起動動作は、機器の機能に基づいた任意のものとなる。また、前記起動信号出力手段を有効にさせるべき前記所定時間は、時間的情報に基づいて直接規定するようにしてもよいし、前記起動信号出力手段が一定周期にて起動信号を出力するものであれば、その起動信号の数に基づいて規定してもよい。
【００１１】
また、本発明に係る起動制御装置は、前記制御手段が、前記所定の信号を入力したときに、前記所定時間有効となるタイマ信号を出力するタイマ手段と、前記タイマ信号に基づいて前記起動信号出力手段を有効となるよう制御する有効制御手段とを有する構成とすることができる。
【００１２】
このような構成により、所定の信号が前記制御手段に入力されると、タイマ手段から出力されるタイマ信号に基づいて前記起動信号出力手段が所定時間有効にされ、該起動信号出力手段から所定の機器に対して断続的に起動信号が与えられることとなる。
【００１３】
更に、本発明に係る起動制御装置は、前記有効制御手段が、前記タイマ信号に基づいて前記起動信号出力手段に対する電源供給を制御する電源供給制御手段を有する構成とすることができる。
【００１４】
このような構成により、所定の信号が前記制御手段に入力されると、タイマ手段からのタイマ信号に基づいて所定時間起動信号出力手段に電源供給がなされるようになる。その電源供給がなされて有効となった起動信号出力手段から所定の機器に対して断続的に起動信号が与えられる。
【００１５】
本発明に係る起動制御装置は、前記起動信号出力手段が、光学的結合素子と、前記光学的結合素子をパルス駆動するパルス駆動手段と、前記光学的結合素子のパルス駆動に応じてパルス状の起動信号を生成する起動信号生成手段とを有する構成とすることができる。
【００１６】
このような構成により、起動信号出力手段における起動信号生成手段を実現するための電気的な回路と前記起動信号出力手段の他の機能を実現するための電気的な回路とを電気的に分離することができることとなる。
【００１７】
また、本発明に係る起動制御装置は、前記制御手段が、光学的結合素子を有し、前記タイマ手段からのタイマ信号にて前記光学的結合素子を駆動するようにし、前記電源供給制御手段が、前記光学的結合素子が駆動されている間、前記起動信号出力手段に電源供給を行なうようにした構成とすることができる。
【００１８】
このような構成により、前記電源供給制御手段を実現するための電気的な回路と前記タイマ手段を含む前記制御手段の他の機能を実現するための電気的な回路とを電気的に分離することができることとなる。
【００１９】
本発明に係る監視制御装置は、カメラ装置にて撮影される映像を録画する録画機器に、物体検出器からの検出信号に基づいて、前記録画機器を制御する監視制御装置において、前記録画機器に対する録画起動信号を断続的に出力する録画起動信号出力手段と、前記検出信号を入力したときに、前記録画起動信号出力手段を所定時間有効にさせる起動制御手段を有する構成となる。
【００２０】
このような構成により、物体検出器からの検出信号が起動制御手段に入力されると、その起動制御手段により録画起動信号出力手段が所定時間有効にさせられ、録画機器に対して前記所定時間録画起動信号が断続的に与えられることとなる。その結果、前記録画機器は、その断続的に与えられる録画起動信号に基づいてカメラ装置にて撮影される映像の録画開始動作を行ない得る。この場合、例えば、録画機器において録画開始直後に何らかの原因により録画動作が停止されても、録画動作を自動的に再開させることができるようになる。
【００２１】
また、本発明に係る監視制御装置は、前記録画機器に対する録画停止信号を出力する録画停止信号出力手段と、前記所定時間経過後、前記録画停止信号出力手段を有効にさせる停止制御手段とを有する構成とすることができる。
【００２２】
このような構成により、録画機器は、前述したように録画起動信号が断続的に与えられる前記所定時間は、録画動作を継続することができるようになる。そして、前記所定時間経過後、録画停止信号出力手段から録画停止信号が出力されると、録画機器での前記録画動作は停止され得るようになる。
【００２３】
更に、本発明に係る監視制御装置は、前記起動制御手段が、前記検出信号を入力したときに、前記所定時間有効となるタイマ信号を出力するタイマ手段と、前記タイマ信号に基づいて前記録画起動信号出力手段を有効となるように制御する有効制御手段とを有する構成とすることができる。
【００２４】
このような構成により、物体検出器からの検出信号が起動制御手段に入力されると、タイマ手段から出力されるタイマ信号に基づいて前記録画起動信号出力手段が所定時間有効にされ、該録画起動信号出力手段から録画機器に対して断続的に録画起動信号が与えられることとなる。
【００２５】
また、本発明に係る監視制御装置は、前記有効制御手段が、前記タイマ信号に基づいて前記録画起動信号出力手段に対する電源供給を制御する電源制御手段を有する構成とすることができる。
【００２６】
このような構成により、物体検出器からの検出信号が前記起動制御手段に入力されると、タイマ手段からのタイマ信号に基づいて所定時間録画起動信号出力手段に電源供給がなされるようになる。その電源供給がなされて有効となった録画起動信号出力手段から録画機器に対して断続的に録画起動信号が与えられる。
【００２７】
本発明に係る防犯システムは、監視領域を撮影するカメラ装置と、前記カメラ装置にて撮影される映像を録画する録画機器と、前記監視領域を含む所定の領域の動体を検出したときに検出信号を出力する物体検出器と、前記検出信号に基づいて前記録画機器に録画起動信号を与える監視制御装置とを有する防犯システムにおいて、前記監視制御装置は、断続的に録画起動信号を出力する録画起動信号出力手段と、前記検出信号を入力したときに、前記録画起動信号出力手段を所定時間有効となるように制御する制御手段とを有する構成となる。
【００２８】
このような構成により、所定の領域に物体が侵入し、その動体（動く物体）を検出した物体検出器からの検出信号が監視制御装置に与えられ、その検出信号が起動制御手段に入力されると、その起動制御手段により録画起動信号出力手段が所定時間有効にさせられる。そして、録画機器に対して録画起動信号出力手段からの録画起動信号が前記所定時間断続的に与えられることとなる。その結果、前記録画機器は、その断続的に与えられる録画起動信号に基づいてカメラ装置にて撮影される監視領域の映像の録画開始動作を行ない得る。この場合、例えば、録画機器において録画開始直後に何らかの原因により録画動作が停止されても、その録画動作を自動的に再開させることができるようになる。
【００２９】
また、本発明に係る防犯システムは、前記監視制御装置が、前記録画機器に対する録画停止信号を出力する録画停止信号出力手段と、前記所定時間経過後に、前記録画停止信号出力手段を有効にさせる停止制御手段とを有する構成とすることができる。
【００３０】
このような構成により、録画機器は、前述したように録画起動信号が断続的に与えられる前記所定時間は、録画動作を継続することができるようになる。そして、前記所定時間経過後、録画停止信号出力手段から録画停止信号が出力されると、録画機器での前記録画動作は停止され得るようになる。
【００３１】
【発明の実施の形態】
以下、本発明の実施の形態について、図面を用いて説明する。
【００３２】
本発明の実施の形態に係る防犯システムは、図１に示すように構成される。この防犯システムは、録画機器として一般的に市販される家庭用のビデオデッキを利用している。
【００３３】
図１において、この防犯システムは、監視制御装置１００、所定の監視領域を撮影範囲とするドームカメラ２００、前記所定の監視領域を含む所定の領域内の動体（動く物体）を検出して検出信号を出力する超音波センサ３００、ビデオデッキ４００、ビデオデッキ４００の操作をリモコンで行なうためのビデオリモコン４５０及びモニタ装置５００を有している。超音波センサ３００からの検出信号は監視制御装置１００に与えられる。前記所定の監視領域の撮影により得られた映像を表す映像信号がドームカメラ２００からビデオデッキ４００に供給される。
【００３４】
監視制御装置１００は、超音波センサ３００からの検出信号に基づいて後述するように生成される録画起動信号及び録画停止信号をビデオリモコン４５０に供給する。ビデオリモコン４５０は、監視制御装置１００からの録画起動信号に基づいて録画制御信号（ＲＥＣ）を生成し、その録画制御信号（ＲＥＣ）をビデオデッキ４００に供給する。また、ビデオリモコン４５０は、監視制御装置１００からの録画停止信号に基づいて停止制御信号（ＳＴＰ）を生成し、その停止制御信号（ＳＴＰ）をビデオデッキ４００に供給する。モニタ装置５００は、ビデオデッキ４００に接続され、ビデオデッキ４００のモニタ機能により録画テープに記録された映像を表示する。また、ドームカメラ２００からの映像信号をビデオデッキ４００を介してモニタ装置５００に送ることにより、ドームカメラ２００にて撮影される映像をリアルタイムにモニタ装置５００に表示させることもできる。
【００３５】
ビデオデッキ４００及びビデオリモコン４５０は、市販されている一般的な家庭用ビデオデッキ及びそれに付属するリモコン装置を改造したものである。即ち、ビデオリモコン４５０の出力回路が、監視制御装置１００からの信号（録画起動信号または録画停止信号）を入力したときに制御信号（録画制御信号（ＲＥＣ）または停止制御信号（ＳＴＰ））を出力すると共に、その出力回路からの制御信号が、図２に示すように、接続信号線によりコネクタ４５１に導かれるようになっている。ビデオデッキ４００は、図２に示すように、ビデオリモコン４５０の前記コネクタ４５１の接続口４０１と、赤外線受光素子４０３に対向するように配置された赤外線ＬＥＤ４０２とを備え、その接続口４０１と赤外線ＬＥＤ４０２とが内部信号線にて接続されるようになっている。
【００３６】
ビデオデッキ４００及びビデオリモコン４５０の前述したような構成により、監視制御装置１００から出力される録画起動信号がビデオリモコン４５０により録画制御信号（ＲＥＣ）に変換され、その録画制御信号（ＲＥＣ）が、接続信号線、コネクタ４５１及び接続口４０１、更に、ビデオデッキ４００内の内部信号線、赤外線ＬＥＤ４０２及び赤外線受光素子４０３を介してビデオデッキ４００の録画制御回路（図示略）に与えられる。また、監視制御装置１００から出力される録画停止信号がビデオリモコン４５０により停止制御信号（ＳＴＰ）に変換され、その停止制御信号（ＳＴＰ）が、前記録画制御信号（ＲＥＣ）と同様にしてビデオデッキ４００の録画制御回路に与えられる。
【００３７】
監視制御装置１００は、図３に示すように構成される。
【００３８】
図３において、監視制御装置１００は、タイマ電源回路１０、起動信号出力回路２０及び停止信号出力回路３０を有している。タイマ電源回路１０は、超音波センサ３００からの検出信号を入力すると、所定時間ｔ（例えば、３分間程度）起動信号出力回路２０に電源供給を行なう。また、タイマ電源回路１０は、前記所定時間ｔが経過すると、電源供給を一時的に起動信号出力回路２０から停止信号出力回路３０に切換え、その後、停止信号出力回路３０への電源供給を停止する。
【００３９】
起動信号出力回路２０は、タイマ電源回路１０から電源供給を受けている間有効となり、パルス状の連続する録画起動信号を出力する。停止信号出力回路３０は、タイマ電源回路１０から電源供給を受けている間有効となり、その間に、録画停止信号を出力する。
【００４０】
監視制御装置１００のタイマ電源回路１０、起動信号出力回路２０及び停止信号出力回路３０の具体的構成は、図４に示すようになる。
【００４１】
図４において、タイマ電源回路１０は、トランジスタＱ１、Ｑ２、抵抗Ｒ１、Ｒ２、Ｒ３及びコンデンサＣ４にて構成されるタイマ回路（Ｑ１、Ｑ２等：以下、同様に表す）と、トランジスタＱ３、Ｑ４、抵抗Ｒ６、Ｒ７、ダイオードＤ４及びリレーＲＬ１にて構成される電源供給制御回路（Ｑ３、Ｑ４、ＲＬ１等：以下、同様に表す）と、三端子レギュレータＲＧ１、ダイオードＤ１〜Ｄ３及びコンデンサＣ２、Ｃ３にて構成される安定化定電圧回路（ＲＧ１等：以下、同様に表す）とを有している。この安定化定電圧回路（ＲＧ１等）は前記タイマ回路（Ｑ１、Ｑ２等）に所定の安定化電圧を印加する。また、タイマ電源回路１０は、発光ダイオードＬＥ１、抵抗Ｒ４、フォトカプラＯＰ１及び抵抗Ｒ５を有している。前記タイマ回路（Ｑ１、Ｑ２等）と電源供給制御回路（Ｑ３、Ｑ４、ＲＬ１等）は、フォトカプラＯＰ１を介して結合されている。そして、前記タイマ回路（Ｑ１、Ｑ２等）の出力にて発光ダイオードＬＥ１及びフォトカプラＯＰ１が駆動される。
【００４２】
タイマ電源回路１０は、更に、外部直流電圧が入力する電源入力端子ＩＮ、コンデンサＣ１及びパワースイッチＳＷ１を有する。パワースイッチＳＷ１をオンすると、コンデンサＣ１にて安定化された直流電圧が、リレーＲＬ１の入力端子に入力されると共に、電源供給制御回路（Ｑ３、Ｑ４、ＲＬ１等）及び前記安定化定電圧回路（ＲＧ１等）に印加され、更に、超音波センサ３００（図１参照）に供給される。
【００４３】
パワースイッチＳＷ１がオンすることにより前記安定化定電圧回路（ＲＧ１等）からの安定化電圧が印加されるタイマ回路（Ｑ１、Ｑ２等）は、超音波センサ３００からの検出信号を入力すると、その検出信号によるコンデンサＣ４の充電電圧及び回路定数に基づいた所定時間ｔだけタイマ信号（例えば、ハイレベル）を出力する。そして、このタイマ信号に基づいたフォトカプラＯＰ１の駆動により、電源供給制御回路（Ｑ３、Ｑ４、ＲＬ１等）では、リレーＲＬ１の切換え動作がなされ、リレーＲＬ１に入力する直流電圧が起動信号出力回路２０に供給される。なお、このとき、前記タイマ信号により発光ダイオードＬＥ１は点灯する。
【００４４】
また、前記所定時間ｔが経過すると、タイマ回路（Ｑ１、Ｑ２等）はタイマ信号の出力を停止し、それによりフォトカプラＯＰ１の駆動が停止される。それにより、電源供給制御回路（Ｑ３、Ｑ４、ＲＬ１等）では、リレーＲＬ１の復帰動作がなされ、リレーＲＬ１に入力する直流電圧が一時的に停止信号出力回路３０に供給される。そして、その後、リレーＲＬ１は初期状態（起動信号出力回路２０及び停止信号出力回路３０に対する電圧供給を行っていない状態）に戻る。
【００４５】
起動信号出力回路２０は、トランジスタＱ５、Ｑ６、抵抗Ｒ８、Ｒ９、Ｒ１０、コンデンサＣ６、ディップスイッチＳＷ２にて構成されるパルス発生回路（Ｑ５、Ｑ６等：以下、同様に表す）と、トランジスタＱ７、Ｑ８、抵抗Ｒ１１、Ｒ１２、ダイオードＤ９及びリレーＲＬ２にて構成される起動信号生成回路（Ｑ７、Ｑ８、ＲＬ２等：以下、同様に表す）と、三端子レギュレータＲＧ２、ダイオードＤ５〜Ｄ８及びコンデンサＣ５にて構成される安定化定電圧回路（ＲＧ２等：以下、同様に表す）とを有している。
【００４６】
タイマ電源回路１０から前述したように供給される直流電圧が出力回路（Ｑ７、Ｑ８、ＲＬ２等）及び安定化電源回路（ＲＧ２等）に印加される。安定化定電圧回路（ＲＧ２等）は前記パルス発生回路（Ｑ５、Ｑ６等）に所定の安定化電圧を印加する。また、起動信号出力回路２０は、発光ダイオードＬＥ２及びフォトカプラＯＰ２を有している。前記パルス発生回路（Ｑ５、Ｑ６等）と起動信号生成回路（Ｑ７、Ｑ８、ＲＬ２等）は、フォトカプラＯＰ２を介して結合されている。そして、前記パルス発生回路（Ｑ５、Ｑ６等）の出力にて発光ダイオードＬＥ２及びフォトカプラＯＰ２が駆動される。
【００４７】
ディップスイッチＳＷ２は、抵抗Ｒ８及び抵抗Ｒ９のいずれかを選択するために用いられる。ディップスイッチＳＷ２にて抵抗Ｒ８が選択される場合、このパルス発生回路（Ｑ５、Ｑ６等）は、タイマ電源回路１０における前記タイマ回路（Ｑ１、Ｑ２等）から出力されるタイマ信号の時間幅ｔより短い周期にてパルス信号を出力する。ディップスイッチＳＷ２にて抵抗Ｒ９が選択される場合、このパルス発生回路（Ｑ５、Ｑ６等）は、前記タイマ信号の時間幅ｔより長い周期のパルス信号、即ち、当該時間幅ｔの間に１つのパルス信号を出力する。この例では、ディップスイッチＳＷ２により抵抗Ｒ８が選択されている。
【００４８】
タイマ電源回路１０からの前記直流電圧の供給を受けることにより起動信号出力回路２０が有効になると、安定化定電圧回路（ＲＧ２等）から安定化電圧が供給されるパルス発生回路（Ｑ５、Ｑ６）では、コンデンサＣ６がその安定化電圧の充放電動作を繰り返す。これにより、パルス発生回路（Ｑ５、Ｑ６等）からパルス信号が出力される。そして、このパルス信号に基づいたフォトカプラＯＰ２のパルス駆動により、起動信号生成回路（Ｑ７、Ｑ８、ＲＬ２等）では、前記パルス信号に同期してリレーＲＬ２がオン・オフ動作を繰り返す。このリレーＲＬ２のオン・オフ動作の繰り返しに基づいた連続するパルス状の信号が録画起動信号として起動信号生成回路（Ｑ７、Ｑ８、ＲＬ２等）から出力される。この連続するパルス状の録画起動信号はビデオリモコン４５０（図１参照）に供給される。なお、このとき、前記連続するパルス状の信号により発光ダイオードＬＥ２は点滅する。
【００４９】
停止信号出力回路３０は、トランジスタＱ９、Ｑ１０、抵抗Ｒ１３、Ｒ１４、Ｒ１５、コンデンサＣ７、Ｃ８、ダイオードＤ１０及びリレーＲＬ３を備え、前述したようにタイマ電源回路１０から一時的に直流電圧が供給されたときに有効となる。この停止信号出力回路３０では、前記のように直流電圧が一時的に供給されると、コンデンサＣ７、Ｃ８による前記直流電圧の充放電動作により、単一パルスとなる駆動信号がリレーＲＬ３に印加される。この単一パルスの駆動信号に基づいたリレーＲＬ３のオン・オフ動作により、単一パルス信号が録画停止信号として停止信号出力回路３０から出力される。この画像停止信号はビデオリモコン４５０（図１参照）に供給される。
【００５０】
前述したような構成となる防犯システムは、次のようにして動作する。
【００５１】
監視領域に物体が侵入していない状態において、監視制御装置１００では、外部直流電圧が入力するタイマ電源回路１０だけが電源の供給状態にあり、起動信号出力回路２０及び停止信号出力回路３０には電源供給がなされていない。従って、タイマ電源回路１０は有効な状態となっているが、起動信号出力回路２０及び停止信号出力回路３０は有効な状態となっていない。
【００５２】
この状態で、監視領域に例えば人が侵入し、それを超音波センサ３００が検出すると、超音波センサ３００から出力される検出信号が監視制御装置１００に供給される。監視制御装置１００では、その検出信号がタイマ電源回路１０に入力すると（図３、図４参照）、そのタイマ回路（Ｑ１、Ｑ２等）から所定時間ｔ有効となるタイマ信号が出力される（図５（ａ）参照）。そして、そのタイマ信号に基づいた電源供給制御回路（Ｑ３、Ｑ４、ＲＬ１等）の動作により、タイマ電源回路１０から起動信号出力回路２０に前記所定時間ｔ直流電圧が供給される。
【００５３】
この直流電圧の供給により前記所定時間ｔ有効となる起動信号出力回路２０では、パルス発生回路（Ｑ５、Ｑ６等）が前記直流電圧に基づいた安定化定電圧回路（ＲＧ２等）からの安定化電圧を受けて所定周期のパルス信号を出力する。このパルス信号に基づいた起動信号生成回路（Ｑ７、Ｑ８、ＲＬ２等）の動作により、連続するパルス状の録画起動信号が起動信号出力回路２０から出力される（図５（ｂ）参照）。この連続するパルス状の録画起動信号は、監視制御装置１００における起動信号出力回路２０からビデオリモコン４５０（図１参照）に供給される。
【００５４】
ビデオリモコン４５０は、そのパルス状の録画起動信号をパルス状の録画制御信号（ＲＥＣ）に変換してビデオデッキ４００に供給する。ビデオデッキ４００では、録画制御回路に対して前記パルス状の録画制御信号（ＲＥＣ）により繰り返し録画開始の指示がなされる。最初の録画開始の指示によりドームカメラ２００にて撮影される映像の録画動作（ビデオテープに対する記録動作）が開始される。その直後、例えば、ビデオテープの僅かな支障（異物付着、巻き取りの状態の部分的な不具合）により前記録画動作が強制的に停止させられると、次の録画制御信号（ＲＥＣ）に基づいた録画開始の指示により、再度録画動作が開始される。
【００５５】
このようにして、ビデオデッキ４００では、監視制御装置１００からのパルス状の録画起動信号に基づいて繰り返し録画動作指示がなされる。その過程で、録画動作が正常に復帰すると、以後、ビデオデッキ４００は、継続してドームカメラ２００にて撮影される監視領域の映像のビデオテープへの記録を行なう。なお、監視制御装置１００からは前記所定時間ｔパルス状の録画起動信号が出力されることになるが、その所定時間ｔ経過前に録画動作が正常に復帰した場合、その後の録画起動信号に基づいた録画指示（録画制御信号（ＲＥＣ））があってもビデオデッキ４００はその録画指示を無視する。
【００５６】
前記所定時間ｔが経過すると、タイマ電源回路１０の電源供給制御回路（Ｑ３、Ｑ４、ＲＬ１等）は、電圧供給を一時的に停止信号出力回路３０に切換える。その結果、タイマ電源回路１０から停止信号出力回路３０に一時的に直流電圧が供給される。この直流電圧の供給により有効となる停止信号出力回路３０は、単一のパルス信号を録画停止信号として出力する（図５（ｃ）参照）。この録画停止信号は、監視制御装置１００の停止信号出力回路３０からビデオリモコン４５０（図１参照）に供給される。
【００５７】
ビデオリモコン４５０は、その録画停止信号を停止制御信号（ＳＴＰ）に変換してビデオデッキ４００に供給する。ビデオデッキ４００では、録画制御回路に対して前記停止制御信号（ＳＴＰ）に基づいた録画停止の指示がなされる。これにより、前述したようになされていたドームカメラ２００からの映像の録画動作が停止される。
【００５８】
前述したような動作により、超音波センサ３００にて動体の検出がなされると、ドームカメラ２００にて撮影される監視領域の映像が所定時間安定的にビデオデッキ４００によりビデオテープに記録（録画）できるようになる。
【００５９】
また、監視制御装置１００のタイマ電源回路１０では、タイマ回路（Ｑ１、Ｑ２等）と電源供給制御回路（Ｑ３、Ｑ４、ＲＬ１等）とがフォトカプラＯＰ１を介して結合された構造となっているため、相互に電気的な変動を受けにくくなり、安定した動作ができるようになる。また、起動信号出力回路２０においても、パルス発生回路（Ｑ５、Ｑ６等）と起動信号生成回路（Ｑ７、Ｑ８、ＲＬ２等）とがフォトカプラＯＰ２を介して結合された構造となっており、同様の効果が得られる。
【００６０】
更に、超音波センサ３００にて動体の検出が継続的になされない状態では、監視制御装置１００における起動信号出力回路２０及び停止信号出力回路３０には電源供給がなされないので、無駄な電力消費を抑えることができるようになる。
【００６１】
なお、前記本発明の実施の形態では、監視制御装置１００が超音波センサ３００からの検出信号を入力したときにビデオデッキ４００に対して所定時間ｔ録画起動信号を断続的に供給するものであったが、監視制御装置１００のタイマ電源回路１０及び起動信号出力回路２０を用いれば、任意の機器（例えば、デジタルカメラ、ハードディスク装置等）に対して所定時間ｔ起動信号を供給することができる。この場合、その機器に対してリトライ信号を繰り返し供給することができ、機器の前記起動信号に基づいた動作を所定時間繰り返させることや、また、その動作を安定的に継続させることができるようになる。
【００６２】
【発明の効果】
以上、説明したように、本発明によれば、所定の信号が入力されると、録画機器等の所定の機器に対して所定時間起動信号が断続的に与えられるようになるので、その機器の動作をより安定的に行わせることができる起動制御装置を実現することができるようになる。
【００６３】
また、本発明によれば、そのような起動制御装置を利用した監視制御装置及び防犯システムを実現することが可能となる。
【図面の簡単な説明】
【図１】本発明の実施の形態に係る防犯システムを示す図である。
【図２】ビデオリモコンとビデオデッキとの接続状態の一例を示す図である。
【図３】監視制御装置の構成例を示すブロック図である。
【図４】監視制御装置の詳細な構成例を示す回路図である。
【図５】監視制御装置の動作の一例を示すタイミングチャートである。
【符号の説明】
１０  タイマ電源回路
２０  起動信号出力回路
３０  停止信号出力回路
１００  監視制御装置
２００  ドームカメラ
３００  超音波センサ
４００  ビデオデッキ
４０１  接続口
４０２  赤外線ＬＥＤ
４０３  赤外線受光素子
４５０  ビデオリモコン
４５１  コネクタ
５００  モニタ装置
【図１】
2004166117.tif 000003
【図２】
2004166117.tif 000004
【図３】
2004166117.tif 000005
【図４】
2004166117.tif 000006
【図５】
2004166117.tif 000007